(57)【要約】      （修正有）【課題】術後の眼部及び外眼部の保護を継続したまま患部を冷却し、かつ圧迫することが可能な術後保護用アイマスクを提供する。【解決手段】両眼の外眼部に被着する外眼保護部２０と、外眼保護部を頭部に固定する固定バンド部４０とを有してなる術後保護用アイマスク１０であって、外眼保護部２０は、本体部２１と、本体部の上部に形成された開口部２４と、開口部から着脱自在に挿入される保冷部材３０を保持する保持部２５を備える。固定バンド部４０は、外眼保護部の左右両端に接続されている。【選択図】図２
0003201893.tif 000002
【実用新案登録請求の範囲】
【請求項１】
両眼の外眼部に被着する外眼保護部と、前記外眼保護部を頭部に固定する固定バンド部とを有してなる術後保護用アイマスクであって、
前記外眼保護部は、本体部と、前記本体部の上部に形成された開口部と、前記開口部から着脱自在に挿入される保冷部材を保持する保持部を備え、
前記外眼保護部の左右両端に前記固定バンド部が接続されている
ことを特徴とする術後保護用アイマスク。
【請求項２】
前記外眼保護部が正面視において横倒し８字形状であり、かつ、前記保冷部材も正面視において横倒し８字形状である請求項１に記載の術後保護用アイマスク。
【請求項３】
前記外眼保護部が布部材の縫製により形成される請求項１または２に記載の術後保護用アイマスク。
【請求項４】
前記固定バンド部に面ファスナ部が設けられている請求項１ないし３のいずれか１項に記載の術後保護用アイマスク。
【請求項５】
前記保冷部材が膨潤ゲル剤を封入した袋状部を備えている請求項１ないし４のいずれか１項に記載の術後保護用アイマスク。
【請求項６】
前記袋状部が両眼の外眼部位置に対応して２個備えられている請求項５に記載の術後保護用アイマスク。
【考案の詳細な説明】
【技術分野】
【０００１】
本考案は術後保護用アイマスクに関し、特に、手術後の眼部及び外眼部を冷やすとともに圧迫する術後保護用アイマスクに関する。
【背景技術】
【０００２】
例えば、白内障、緑内障等の眼病の内眼部手術や、眼瞼、眼窩、涙器等の外眼部手術等、眼部の手術を行った後に術後の眼部や外眼部を保護する場合、術後用保護眼鏡が用いられる（例えば、特許文献１参照。）。術後用保護眼鏡では、眼鏡レンズが装着される眼鏡枠部の外側にフード状の保護カバーが設けられている。そこで、使用者の眼部や外眼部の周囲は保護カバーにより包み込まれる。この術後用保護眼鏡を終日着用することにより、使用者の術後の眼部や外眼部は、衝撃や異物侵入、光刺激等から効果的に保護される。
【先行技術文献】
【特許文献】
【０００３】
【特許文献１】実用新案登録第３０９２７２４号公報
【考案の概要】
【考案が解決しようとする課題】
【０００４】
術後の患部（眼部周囲）は、手術の影響により炎症を起こして痛みを伴うことがある。このような痛みの緩和のためには、患部を冷やしたり圧迫したりする必要がある。しかしながら、術後用保護眼鏡を着用している場合、保護眼鏡を一端外してから患部の冷却や圧迫をしなければならない。このため、術後の患者自身の負担や適宜の看護も必要である。そこで、術後の眼部や外眼部の保護を継続したまま、容易に患部の痛みを緩和することが可能な保護手段が求められている。
【０００５】
本考案は、前記の点に鑑みなされたものであり、術後の眼部及び外眼部の保護を継続したまま患部を冷却し、かつ圧迫することが可能な術後保護用アイマスクを提供する。
【課題を解決するための手段】
【０００６】
すなわち、請求項１の考案は、両眼の外眼部に被着する外眼保護部と、前記外眼保護部を頭部に固定する固定バンド部とを有してなる術後保護用アイマスクであって、前記外眼保護部は、本体部と、前記本体部の上部に形成された開口部と、前記開口部から着脱自在に挿入される保冷部材を保持する保持部を備え、前記外眼保護部の左右両端に前記固定バンド部が接続されていることを特徴とする術後保護用アイマスクに係る。
【０００７】
請求項２の考案は、前記外眼保護部が正面視において横倒し８字形状であり、かつ、前記保冷部材も正面視において横倒し８字形状である請求項１に記載の術後保護用アイマスクに係る。
【０００８】
請求項３の考案は、前記外眼保護部が布部材の縫製により形成される請求項１または２に記載の術後保護用アイマスクに係る。
【０００９】
請求項４の考案は、前記固定バンド部に面ファスナ部が設けられている請求項１ないし３のいずれか１項に記載の術後保護用アイマスクに係る。
【００１０】
請求項５の考案は、前記保冷部材が膨潤ゲル剤を封入した袋状部を備えている請求項１ないし４のいずれか１項に記載の術後保護用アイマスクに係る。
【００１１】
請求項６の考案は、前記袋状部が両眼の外眼部位置に対応して２個備えられている請求項５に記載の術後保護用アイマスクに係る。
【考案の効果】
【００１２】
請求項１の考案に係る術後保護用アイマスクによると、両眼の外眼部に被着する外眼保護部と、前記外眼保護部を頭部に固定する固定バンド部とを有してなる術後保護用アイマスクであって、前記外眼保護部は、本体部と、前記本体部の上部に形成された開口部と、前記開口部から着脱自在に挿入される保冷部材を保持する保持部を備え、前記外眼保護部の左右両端に前記固定バンド部が接続されているため、術後の眼部及び外眼部の保護を継続したまま容易に患部を冷却し、かつ圧迫することが可能となる。
【００１３】
請求項２の考案に係る術後保護用アイマスクによると、請求項１の考案において、前記外眼保護部が正面視において横倒し８字形状であり、かつ、前記保冷部材も正面視において横倒し８字形状であるため、外眼保護部や保冷部材の位置ずれを抑制することができる。
【００１４】
請求項３の考案に係る術後保護用アイマスクによると、請求項１又は２の考案において、前記外眼保護部が布部材の縫製により形成されるため、術後の患部との接触に適しており、製造も容易である。
【００１５】
請求項４の考案に係る術後保護用アイマスクによると、請求項１ないし３のいずれかの考案において、前記固定バンド部に面ファスナ部が設けられているため、外眼保護部を圧迫させる強さを自在に調整可能である。
【００１６】
請求項５の考案に係る術後保護用アイマスクによると、請求項１ないし４のいずれかの考案において、前記保冷部材が膨潤ゲル剤を封入した袋状部を備えているため、保冷効果が低下しても繰り返し保冷効果を得ることが可能となる。
【００１７】
請求項６の考案に係る術後保護用アイマスクによると、請求項５の考案において、前記袋状部が両眼の外眼部位置に対応して２個備えられているため、患部の冷却を無駄なく適切に行うことができる。
【図面の簡単な説明】
【００１８】
【図１】本考案の術後保護用アイマスクの装着状態を表した模式図である。
【図２】術後保護用アイマスクの背面側からの斜視図である。
【図３】外眼保護部への保冷部材の挿入状態を表した概略図である。
【図４】保冷部材の正面図である。
【図５】他の実施形態に係る保冷部材の正面図である。
【考案を実施するための形態】
【００１９】
図１に示す本考案の一実施形態に係る術後保護用アイマスク１０は、使用者Ｍの頭部Ｈに装着される。術後保護用アイマスク１０は、専ら、両眼の眼部Ｅ（眼球）及び外眼部ＥＯに被着され、それらの術後部位を保護する目的で使用される。ここでいう外眼部ＥＯとは、眼球周囲の顔面部位であり眼瞼、眼窩、眉毛、睫毛、さらには鼻根、鼻背等も含む範囲である。
【００２０】
そこで、術後保護用アイマスク１０は使用者Ｍの両眼の外眼部ＥＯに被着する外眼保護部２０と、外眼保護部２０を使用者Ｍの頭部Ｈに固定するための固定バンド部４０とを有してなる。この術後保護用アイマスク１０の装着により、例えば、白内障、緑内障等の眼病の内眼部手術、眼瞼、眼窩、涙器等の外眼部手術等、その他の眼部または外眼部の手術を行った後に術後の患部（眼部周囲）は保護され、同患部の痛みは緩和される。
【００２１】
外眼保護部２０は、使用者Ｍの左右両方の眼部Ｅの外眼部ＥＯに被着される。外眼保護部２０の被着により使用者Ｍの鼻根部を含む外眼部の周囲は被覆される。結果として、外眼保護部２０は術後の眼部を保護する部材となる。外眼保護部２０は、使用者Ｍの眼部Ｅ、特に術後の患部に接触する部位であることから、肌触りがよく柔らかい素材で構成される。実施形態においては、肌触りとともに製造容易性の観点から、布部材の縫製により形成される。布部材としては、綿、絹、化学繊維等、適宜に用いることができる。製造コストの観点から化学繊維が好ましい。具体的に化学繊維は、被覆部位への伸縮性等を考慮して公知アクリル繊維、ポリエステル繊維、ウレタン繊維等である。
【００２２】
実施形態の外眼保護部２０は、図２，図３に示すように、本体部２１と、開口部２４と、保持部２５とを備える。本体部２１は、表面部２２と、使用者Ｍの外眼部ＥＯと接する裏面部２３とを縫製した袋状体である。表面部２２と裏面部２３とは、少なくとも両側辺から下辺に亘って縫い合わせられている。図示の開口部２４は本体部２１の上部に形成され表面部２２と裏面部２３との縫い合わせられていない部位である。実施形態では、本体部２１上部の左右方向のほぼ中央部に形成され、両側辺近傍の上辺は縫い合わせられている。保持部２５は、開口部２４から着脱自在に挿入される保冷部材３０を保持する部位（ポケット部）である。すなわち、袋状体である本体部２１の袋内部に相当する。
【００２３】
外眼保護部２０は、使用者Ｍの両眼の外眼部ＥＯに被着させた際に、位置ずれ等が生じにくい適宜の形状とされる。好ましい形状としては、図２に示すように、例えば外眼保護部２０が正面視において「横倒し８字形状」である。横倒し８字形状とは、少なくとも外眼保護部２０の下辺中央部に凹状部２０ａを有する形状である。左右方向の中央部分が絞り込まれた形状ともいうことができる。この下辺中央部の凹状部２０ａは、図１に示すように、外眼部に被着させた際の使用者の鼻根部が位置する部位であり、外眼保護部２０の位置ずれを抑制する。また、外眼部ＥＯの眼窩領域も広く被着可能となる。実施形態では、外眼保護部２０の下辺中央部と上辺中央部に凹状部２０ａ，２０ｂが形成されている。上辺中央部の凹状部２０ｂは、眉間部に相当する位置であり、凹状部２０ａよりも絞込みの量は少ない。図示実施形態の横倒し８字形状では、外眼保護部２０に別途の穴は形成されないものとする。
【００２４】
保冷部材３０は、使用者の術後の患部（眼球、外眼部周囲）を冷却するための部材であり、術後の患部の炎症等を抑制して痛みを緩和する。保冷部材３０は、図２，図３に示すように、外眼保護部２０の保持部２５内に収容される。外眼保護部２０が使用者Ｍの外眼部ＥＯに被着された際、外眼保護部２０の本体部２１（裏面部２３）を介して患部は冷却される。保冷部材３０は患部に対して直に接触せず、本体部２１を介在するため、過剰な冷却とならずに適度な冷却を行うことが可能となる。また、保冷部材３０は、開口部２４を介して着脱自在であるため、交換等が容易である。
【００２５】
保冷部材３０は、図４に示すように、膨潤ゲル剤を封入した袋状部３１を備えている。保冷部材３０と袋状部３１の形成に際しては、ポリエチレン、ポリプロピレン、ナイロン等の公知の樹脂フィルムがヒートシール等により張り合わされ、図示の形状に形成される。袋状部３１内に封入される膨潤ゲル剤は冷凍や冷蔵時の冷熱を蓄熱して保冷効果を発揮する。また、保冷部材３０が常温に戻り保冷効果が低下した場合、再度冷凍、冷蔵することにより繰り返し保冷効果は回復する。さらに保冷部材３０に使用する膨潤ゲル剤は、冷凍した場合であっても適度な弾力性を有することが好ましい。冷凍状態で弾力性を有することにより、被着時に患部に対して均等に接触させることが容易となる。
【００２６】
膨潤ゲル剤の成分は、カルボキシメチルセルロース、ポリアクリル酸ナトリウム、ポリビニルアルコール、ポリアクリルアミド、カルボキシビニルポリマー等の高吸水性ポリマーが含水されたものである。特に、誤って口に入った場合でも害がないものとして、カルボキシメチルセルロースが好ましい。
【００２７】
保冷部材３０は、外眼保護部２０（保持部２５）の形状に対応した形状であり、図４に示すように、正面視において「横倒し８字形状」（左右方向の中央部分が絞り込まれた形状）である。保冷部材３０も外眼保護部２０と同様の横倒し８字形状であることにより、被着時の位置ズレが抑制される。また、保冷部材３０の袋状部３１（３１ａ，３１ｂ）は、図２，４に示すように、両眼の外眼部位置に対応して２個備えられている。外眼部位置に対応した２個の袋状部３１ａ，３１ｂにより、患部の冷却を無駄なく適切に行うことができる。さらに、患部が片側の外眼部である場合には、２個の袋状部３１ａ，３１ｂの間を切断して個別に用いることにより、片側の患部のみを適切に冷却することが可能となる。さらに、図５に示すように、単一の袋状部３１ｃとすることもできる。単一の袋状部３１ｃでは、使用者Ｍの鼻根部周囲も冷却するため、内眼角側の手術等を行った場合に、適切に患部を冷却することができる。
【００２８】
固定バンド部４０は、図１，図２に示すように、外眼保護部２０を使用者Ｍの頭部Ｈに固定する部材であり、外眼保護部２０の左右両端に接続されている。特にこの固定バンド部４０は、外眼保護部２０を患部に圧迫させるようにして固定する。つまり、固定バンド部４０により、保冷部材３０が収容された外眼保護部２０を患部に対して押し当てるように固定して、患部を冷却とともに圧迫することも可能とする。このように、患部を冷却しつつ圧迫することにより、術後の患部の痛みを効果的に緩和することが可能となる。
【００２９】
また、固定バンド部４０には、図２に示すように、面ファスナ部４１，４２が設けられている。面ファスナ部４１，４２は、固定バンド部４０の固定位置を自在に、かつ簡単に調整可能である。そのため、外眼保護部２０を圧迫させる強さを自在に調整することができ、より効果的に患部の痛みを緩和や冷却が可能となる。
【００３０】
以上図示し説明したように、本考案の術後保護用アイマスク１０では、外眼保護部２０が使用者Ｍの両眼Ｅの外眼部ＥＯに被着されるため、術後の患部（眼部周囲）を適切に保護することができる。また、保持部２５に保冷部材３０が保持された外眼保護部２０を固定バンド部４０によって使用者Ｍの頭部Ｈへ固定するため、患部の保護とともに冷却及び圧迫を容易に行うことができる。これにより、術後の患部が手術の影響により炎症等を起こして痛みが生じた場合でも、効果的に痛みの緩和をすることができる。
【００３１】
なお、本考案の術後保護用アイマスクは、前述の実施形態のみに限定されるものではなく、考案の趣旨を逸脱しない範囲において構成の一部を適宜に変更して実施することができる。
【産業上の利用可能性】
【００３２】
以上の通り、本考案の術後保護用アイマスクでは、眼部及び外眼部を手術した後の患部を適切に保護しながら冷却及び圧迫して、手術の影響による痛みを効果的に緩和することができる。そのため、眼科等において、眼部の手術を行った患者の術後のケア等に有効活用することができる。
【符号の説明】
【００３３】
１０    術後保護用アイマスク
２０    外眼保護部
２１    本体部
２２    表面部
２３    裏面部
２４    開口部
２５    保持部
３０    保冷部材
３１    袋状部
４０    固定バンド部
４１，４２    面ファスナ部
Ｍ      使用者
Ｈ      頭部
Ｅ      眼部
ＥＯ    外眼部
【図１】
0003201893.tif 000003
【図２】
0003201893.tif 000004
【図３】
0003201893.tif 000005
【図４】
0003201893.tif 000006
【図５】
0003201893.tif 000007